(57)【要約】      （修正有）【課題】同一設定のソフトウェアをネットワーク上の複数のＰＣに容易にインストールできるようにする。【解決手段】ユーザが入力装置１８においてインストールイメージ作成を選択した場合、インストールイメージの作成場所およびインストール用設定情報を設定すると、インストール用設定情報２２の内容を表示し、インストールイメージ作成部１６はユーザにより入力されたインストール用設定情報２２を用いたインストールイメージ２０を作成し、作成したインストールイメージをユーザにより入力された作成場所に格納する。【選択図】図３
2006085610.tif 000002
【特許請求の範囲】
【請求項１】
コンピュータにソフトウェアをインストールするインストールプログラムにおいて、
前記ソフトウェアに対する情報を受け付ける処理と、
前記ソフトウェアのファイルに前記受け付けた情報を設定したインストールイメージを作成する処理と、
前記ソフトウェアのファイルに前記情報を設定する処理と、
前記情報を設定したソフトウェアのファイルを前記コンピュータに組み込む処理と
を前記コンピュータに動作させることを特徴とするインストールプログラム。
【請求項２】
前記インストールイメージを構成する前記受け付けた情報を設定したソフトウェアのファイルを前記コンピュータに組み込む処理
を前記コンピュータに動作させることを特徴とする請求項１記載のインストールプログラム。
【請求項３】
前記インストールイメージを前記受け付けた情報に含まれる格納場所に格納する処理
を前記コンピュータに動作させることを特徴とする請求項１記載のインストールプログラム。
【請求項４】
前記受け付けた情報、または予め設定された情報を前記ソフトウェアのファイルに設定する処理
を前記コンピュータに動作させることを特徴とする請求項１記載のインストールプログラム。
【請求項５】
前記受け付けた情報を前記ソフトウェアのファイルに設定する場合、該情報の設定を促す画面、該ソフトウェアのインストールの進歩状況を示す画面を表示装置に表示する処理と、
前記予め用意した情報を前記ソフトウェアのファイルに設定する場合、前記表示装置での該ソフトウェアのインストールに関する画面の表示を行わない処理
を前記コンピュータに動作させることを特徴とする請求項４記載のインストールプログラム。
【請求項６】
前記予め用意した情報を前記ソフトウェアのファイルに設定する場合、該ソフトウェアのインストールの実行結果記録を作成する処理と、
該作成した実行結果記録を保存する処理と
を前記コンピュータに動作させることを特徴とする請求項４記載のインストールプログラム。
【請求項７】
コンピュータにソフトウェアをインストールするインストール装置において、
前記ソフトウェアに対する情報を受け付ける受付手段と、
前記ソフトウェアのファイルに前記受付手段で受け付けた情報を設定したインストールイメージを作成するインストールイメージ作成手段と、
前記ソフトウェアのファイルに該ソフトウェアに対する情報を設定する設定手段と、
前記設定手段で前記情報を設定したソフトウェアのファイルを前記コンピュータに組み込む組込み手段と
を具備することを特徴とするインストール装置。
【請求項８】
前記組込み手段は、
前記インストールイメージを構成する前記受付手段で受け付けた情報を設定したソフトウェアのファイルを前記コンピュータに組み込む
ことを特徴とする請求項７記載のインストール装置。
【請求項９】
前記インストールイメージを前記受付手段で受け付けた情報に含まれる格納場所に格納する
ことを特徴とする請求項７記載のインストール装置。
【請求項１０】
前記設定手段は、
前記受付手段で受け付けた情報、または予め設定された情報を前記ソフトウェアのファイルに設定する
ことを特徴とする請求項７記載のインストール装置。
【請求項１１】
前記ソフトウェアのインストールに関する画面を表示装置に表示する表示制御手段
を更に具備し、
前記表示制御手段は、
前記設定手段が前記受付手段で受け付けた情報を前記ソフトウェアのファイルに設定する場合、該情報の設定を促す画面、該ソフトウェアのインストールの進歩状況を示す画面を前記表示装置に表示し、
前記設定手段が前記予め用意した情報を前記ソフトウェアのファイルに設定する場合、前記表示装置での該ソフトウェアのインストールに関する画面の表示を行わない
ことを特徴とする請求項１０記載のインストール装置。
【請求項１２】
前記設定手段が予め用意した情報を前記ソフトウェアのファイルに設定する場合、該ソフトウェアのインストールの実行結果記録を作成し、
該作成した実行結果記録を保存する
ことを特徴とする請求項１０記載のインストール装置。
【請求項１３】
コンピュータに対するソフトウェアのインストール方法において、
前記ソフトウェアに対する情報を受け付け、
該受け付けた情報を前記ソフトウェアのファイルに設定したインストールイメージを作成し、
該作成したインストールイメージを構成する前記受け付けた情報を設定したソフトウェアのファイルを前記コンピュータに組み込む
ことを特徴とするソフトウェアのインストール方法。
【請求項１４】
前記インストールイメージを前記受け付けた情報に含まれる格納場所に格納する
ことを特徴とする請求項１３記載のソフトウェアのインストール方法。
【請求項１５】
前記受け付けた情報、または予め設定された情報を前記ソフトウェアのファイルに設定する
ことを特徴とする請求項１３記載のソフトウェアのインストール方法。
【請求項１６】
前記受け付けた情報を前記ソフトウェアのファイルに設定する場合、該情報の設定を促す画面、該ソフトウェアのファイルの組み込みの進歩状況を示す画面を前記表示装置に表示し、
前記予め用意した情報を前記ソフトウェアのファイルに設定する場合、前記表示装置での前記ソフトウェアのインストールに関する画面の表示を行わない
ことを特徴とする請求項１５記載のソフトウェアのインストール方法。
【請求項１７】
前記予め用意した情報を前記ソフトウェアのファイルに設定する場合、該ソフトウェアのインストールの実行結果記録を作成し、
該作成した実行結果記録を作成する
ことを特徴とする請求項１５記載のソフトウェアのインストール方法。
【発明の詳細な説明】
【技術分野】
【０００１】
本発明は、インストールプログラムおよび装置、ソフトウェアのインストール方法に関し、特に、ＰＣにソフトウェアをインストールするためのインストールプログラムおよび装置、ソフトウェアのインストール方法に関する。
【背景技術】
【０００２】
近年、ＬＡＮ（Local Area Network）等のネットワーク化が進み、ネットワークを介してＰＣ（Personal Computer）およびプリンタが接続されて、プリンタの共有が行われるようになり、各ＰＣがプリンタを使用するためには、ＰＣに印刷データを作成するプリンタドライバをインストールする必要がある。
【０００３】
ＰＣにプリンタドライバをインストールする際に、プリンタドライバに対するプリンタドライバを使用するための設定、印刷データをプリンタに送信するための設定等を行う必要がある。
【０００４】
例えば、プリンタドライバをコンピュータにインストールする際に、各種の印刷形態を設定することで、各プリンタドライバ固有に初期値を設定するプリンタドライバインストール制御方法、及び、インストールプログラムがある（例えば、特許文献１参照。）。
【特許文献１】特開２００３−２８０８４０号公報
【発明の開示】
【発明が解決しようとする課題】
【０００５】
しかし、上記特許文献１に記載の技術では、プリンタドライバをインストールするＰＣが多数存在する場合、プリンタドライバをインストールする際に各設定を１台１台のＰＣに対して行う必要があり、煩わしいという問題がある。
【０００６】
更に、各ＰＣに対して同一の設定にしてインストールする必要がある場合、１台１台のＰＣに対して設定を行うと、間違った設定を行う可能性があるという問題がある。
【０００７】
そこで、本発明は、上記問題点を鑑み、同一設定のソフトウェアをネットワーク上の複数のＰＣに容易にインストールすることが可能なインストールプログラムおよび装置、ソフトウェアのインストール方法を提供することを目的とする。
【課題を解決するための手段】
【０００８】
上記目的を達成するため、請求項１の発明は、コンピュータにソフトウェアをインストールするインストールプログラムにおいて、前記ソフトウェアに対する情報を受け付ける処理と、前記ソフトウェアのファイルに前記受け付けた情報を設定したインストールイメージを作成する処理と、前記ソフトウェアのファイルに前記情報を設定する処理と、前記情報を設定したソフトウェアのファイルを前記コンピュータに組み込む処理とを前記コンピュータに動作させることを特徴とする。
【０００９】
また、請求項２の発明は、請求項１の発明において、前記インストールイメージを構成する前記受け付けた情報を設定したソフトウェアのファイルを前記コンピュータに組み込む処理を前記コンピュータに動作させることを特徴とする。
【００１０】
また、請求項３の発明は、請求項１の発明において、前記インストールイメージを前記受け付けた情報に含まれる格納場所に格納する処理を前記コンピュータに動作させることを特徴とする。
【００１１】
また、請求項４の発明は、請求項１の発明において、前記受け付けた情報、または予め設定された情報を前記ソフトウェアのファイルに設定する処理を前記コンピュータに動作させることを特徴とする。
【００１２】
また、請求項５の発明は、請求項４の発明において、前記受け付けた情報を前記ソフトウェアのファイルに設定する場合、該情報の設定を促す画面、該ソフトウェアのインストールの進歩状況を示す画面を表示装置に表示する処理と、前記予め用意した情報を前記ソフトウェアのファイルに設定する場合、前記表示装置での該ソフトウェアのインストールに関する画面の表示を行わない処理を前記コンピュータに動作させることを特徴とする。
【００１３】
また、請求項６の発明は、請求項４の発明において、前記予め用意した情報を前記ソフトウェアのファイルに設定する場合、該ソフトウェアのインストールの実行結果記録を作成する処理と、該作成した実行結果記録を保存する処理とを前記コンピュータに動作させることを特徴とする。
【００１４】
また、請求項７の発明は、コンピュータにソフトウェアをインストールするインストール装置において、前記ソフトウェアに対する情報を受け付ける受付手段と、前記ソフトウェアのファイルに前記受付手段で受け付けた情報を設定したインストールイメージを作成するインストールイメージ作成手段と、前記ソフトウェアのファイルに該ソフトウェアに対する情報を設定する設定手段と、前記設定手段で前記情報を設定したソフトウェアのファイルを前記コンピュータに組み込む組込み手段とを具備することを特徴とする。
【００１５】
また、請求項８の発明は、請求項７の発明において、前記組込み手段は、前記インストールイメージを構成する前記受付手段で受け付けた情報を設定したソフトウェアのファイルを前記コンピュータに組み込むことを特徴とする。
【００１６】
また、請求項９の発明は、請求項７の発明において、前記インストールイメージを前記受付手段で受け付けた情報に含まれる格納場所に格納することを特徴とする。
【００１７】
また、請求項１０の発明は、請求項７の発明において、前記設定手段は、前記受付手段で受け付けた情報、または予め設定された情報を前記ソフトウェアのファイルに設定することを特徴とする。
【００１８】
また、請求項１１の発明は、請求項１０の発明において、前記ソフトウェアのインストールに関する画面を表示装置に表示する表示制御手段を更に具備し、前記表示制御手段は、前記設定手段が前記受付手段で受け付けた情報を前記ソフトウェアのファイルに設定する場合、該情報の設定を促す画面、該ソフトウェアのインストールの進歩状況を示す画面を前記表示装置に表示し、前記設定手段が前記予め用意した情報を前記ソフトウェアのファイルに設定する場合、前記表示装置での該ソフトウェアのインストールに関する画面の表示を行わないことを特徴とする。
【００１９】
また、請求項１２の発明は、請求項１０の発明において、前記設定手段が予め用意した情報を前記ソフトウェアのファイルに設定する場合、該ソフトウェアのインストールの実行結果記録を作成し、該作成した実行結果記録を保存することを特徴とする。
【００２０】
また、請求項１３の発明は、コンピュータに対するソフトウェアのインストール方法において、前記ソフトウェアに対する情報を受け付け、該受け付けた情報を前記ソフトウェアのファイルに設定したインストールイメージを作成し、該作成したインストールイメージを構成する前記受け付けた情報を設定したソフトウェアのファイルを前記コンピュータに組み込むことを特徴とする。
【００２１】
また、請求項１４の発明は、請求項１３の発明において、前記インストールイメージを前記受け付けた情報に含まれる格納場所に格納することを特徴とする。
【００２２】
また、請求項１５の発明は、請求項１３の発明において、前記受け付けた情報、または予め設定された情報を前記ソフトウェアのファイルに設定することを特徴とする。
【００２３】
また、請求項１６の発明は、請求項１５の発明において、前記受け付けた情報を前記ソフトウェアのファイルに設定する場合、該情報の設定を促す画面、該ソフトウェアのファイルの組み込みの進歩状況を示す画面を前記表示装置に表示し、前記予め用意した情報を前記ソフトウェアのファイルに設定する場合、前記表示装置での前記ソフトウェアのインストールに関する画面の表示を行わないことを特徴とする。
【００２４】
また、請求項１７の発明は、請求項１５の発明において、前記予め用意した情報を前記ソフトウェアのファイルに設定する場合、該ソフトウェアのインストールの実行結果記録を作成し、該作成した実行結果記録を作成することを特徴とする。
【発明の効果】
【００２５】
本発明によれば、インストールプログラム上でインストール用設定情報を直接変更せずに同一の設定のソフトウェアを複数のコンピュータに容易にインストールすることが可能になるという効果を奏する。
【００２６】
また、本発明によれば、インストールプログラムで保存したインストール用設定情報を直接変更することにより、一部の異なった設定のソフトウェアを容易にインストールすることが可能になるという効果を奏する。
【００２７】
また、本発明によれば、インストールイメージによりソフトウェアをインストールする際に、インストールに関する画面等を表示させないことにより、ユーザがインストール作業に関与する必要がなくなるという効果を奏する。
【発明を実施するための最良の形態】
【００２８】
以下、本発明に係るインストールプログラムおよび装置、ソフトウェアのインストール方法の実施の形態について添付図面を参照して詳細に説明する。
【００２９】
本発明の実施の形態として、複数のＰＣ（Personal Computer）がネットワークを介してプリンタに接続し、本発明に係るインストールプログラムを含むプリンタドライバインストールツールがＰＣに格納されている構成を一例にして説明する。
【００３０】
図１は、本発明の実施の形態におけるプリントシステム１の全体構成の一例を示す図である。
【００３１】
図１に示すように、アプリケーションプログラム（以後、アプリケーションと称する）等を用いてデータの処理を行う複数のＰＣ２と、ＰＣ２から受け付けた印刷データを用紙上に形成する処理を行うプリンタ３とがネットワーク４を介して接続している。なお、ネットワーク４の接続については、有線でも無線でもどのような通信方式を用いても良い。
【００３２】
ここで、ＰＣ２の概略構成について説明する。
【００３３】
図１に示すように、ＰＣ２は、ＣＰＵ５、ＲＯＭ６、ＲＡＭ７、ＨＤ８、Ｉ／Ｆ９を具備して構成される。
【００３４】
ＣＰＵ（Central Processing Unit）５は、基本ソフトウェアであるオぺレーティングシステム（以後、ＯＳと称する）に基づいてＰＣ２本体のシーケンス制御を行なう。
【００３５】
ＲＯＭ（Read Only Memory）６は、ＰＣ２の起動時に実行されるプログラム等を格納する。
【００３６】
ＲＡＭ（Random Access Memory）７は、プログラムの実行に必要なワークエリアのバッファエリアとして利用される。
【００３７】
ＨＤ（Hard Disk）８は、ＯＳ、アプリケーション、プリンタドライバインストールツールまたは各種のデータ等を格納する。
【００３８】
Ｉ／Ｆ（Interface）９は、ネットワーク４を介する通信の制御を行なう。
【００３９】
なお、特に図示しないが、ＰＣ２には、アプリケーション画面等の各種の情報を視覚的に表示し得る表示装置、キーボードまたはマウス等の入力装置等が接続されている。
【００４０】
次に、プリンタドライバインストールツールについて説明する。
【００４１】
図２は、プリンタドライバインストールツール１０の構成の一例を示す図である。
【００４２】
図２に示すように、プリンタドライバインストールツール１０は、本発明に係るインストールプログラムのファイル１１、およびプリンタドライバのファイル１２を有する。インストールプログラムを起動すると、起動したインストールプログラムはＨＤ８からプリンタドライバのファイル１２を読み出し、読み出したプリンタドライバのファイルを展開し、展開したファイルに対してインストール用設定情報を設定し、インストール用設定情報を設定したファイルをＰＣ２に組み込む（以後、これらの展開、設定、組み込みの処理を総じてインストールと称する）処理を行う。
【００４３】
次に、インストールプログラムについて説明する。
【００４４】
図３は、ＰＣ２上で起動しているインストールプログラム１３の機能的な構成を示すブロック図である。
【００４５】
図３に示すように、ＰＣ２上で起動しているインストールプログラム１３は、入力受付部１４、プリンタドライバインストール部１５、インストールイメージ作成部１６、表示制御部１７を具備して構成される。
【００４６】
入力受付部１４は、入力装置１８により入力されたプリンタドライバのインストールの指示、インストールイメージの作成の指示、インストール用設定情報等を受け付ける処理を行う。
【００４７】
プリンタドライバインストール部１５は、プリンタドライバのインストール処理を行う。なお、プリンタドライバインストール部１５は、機能として、インストール用設定情報を入力装置１８で入力してからインストールの処理を行う対話式モード、若しくは予め設定されたインストール用設定情報を用いてインストールの処理を行う非対話式モードを指定するインストールモード指定手段１９を有する。
【００４８】
インストールイメージ作成部１６は、所望のインストール用設定情報を設定したプリンタドライバのファイル（以後、インストールイメージ２０と称する）を作成する処理を行う。
【００４９】
表示制御部１７は、インストール用設定情報の入力を促す画面、設定したインストール用設定情報の内容、インストール処理またはインストールイメージ作成処理の進歩状況を示す画面等を表示装置２１に表示する。
【００５０】
次に、インストールイメージ２０を作成する際にインストールプログラム１３が行う機能的な処理について図３を参照して説明する。
【００５１】
ＰＣ２上でインストールプログラム１３が起動されると、インストールプログラム１３の表示制御部１７は実行する処理の選択を促す画面を表示装置２１に表示する。
【００５２】
ユーザが選択を促す画面を認識し、入力装置１８においてインストールイメージ作成を選択した場合、入力受付部１４はインストールイメージ作成の選択を受け付け、インストールイメージ作成部１６に対してインストールイメージ作成が選択された旨を通知し、インストールイメージ作成部１６はインストールイメージ作成が選択された通知を受け付けると、表示制御部１７に対してインストールイメージの作成場所の設定を促す画面の表示を指示し、表示制御部１７はインストールイメージの作成場所の設定を促す画面の表示の指示を受け付けると、インストールイメージの作成場所の設定を促す画面を表示装置２１に表示する。
【００５３】
ユーザがインストールイメージの作成場所の設定を促す画面を認識し、入力装置１８においてインストールイメージの作成場所を入力すると、入力受付部１４はインストールイメージの作成場所を受け付け、受け付けたインストールイメージの作成場所をインストールイメージ作成部１６に渡し、インストールイメージ作成部１６はインストールイメージの作成場所を受け取ると、表示制御部１７に対してインストール用設定情報の設定を促す画面の表示を指示し、表示制御部１７はインストール用設定情報の設定を促す画面の表示の指示を受け付けると、インストール用設定情報の設定を促す画面を表示装置２１に表示する。
【００５４】
ユーザがインストール用設定情報の設定を促す画面を認識し、入力装置１８においてインストール用設定情報を設定すると、入力受付部１４はインストール用設定情報を受け付け、受け付けたインストール用設定情報をインストールイメージ作成部１６に渡す。
【００５５】
そして、全てのインストール用設定情報の設定が終了すると、インストールイメージ作成部１６は設定されたインストール用設定情報の内容を表示制御部１７に渡し、表示制御部１７はインストール用設定情報の内容を受け取ると、受け取ったインストール用設定情報の内容の確認画面を表示装置２１に表示する。
【００５６】
そして、入力装置１８においてユーザがインストールイメージ作成の開始の指示を入力すると、入力受付部１４はインストールイメージ作成の開始の指示を受け付け、インストールイメージ作成部１６に対してインストールイメージ作成の開始が指示された旨を通知し、インストールイメージ作成部１６はインストールイメージ作成の開始が指示された通知を受け付けると、ユーザにより入力されたインストール用設定情報を用いたインストールイメージを作成するとともに、インストールイメージの作成の進歩状況を表示制御部１７に渡し、表示制御部１７はインストールイメージ作成部１６から受け取ったインストールイメージの作成の進歩状況を示す画面を表示装置２１に表示する。
【００５７】
インストールイメージ作成部１６はインストールイメージの作成が終了すると、作成したインストールイメージ２０をユーザにより入力された作成場所に格納する。
【００５８】
次に、対話式モードでインストールの処理を行う際にインストールプログラム１３が行う機能的な処理について図３を参照して説明する。
【００５９】
ＰＣ２上でインストールプログラム１３が起動されると、インストールプログラム１３の表示制御部１７は実行する処理の選択を促す画面を表示装置２１に表示する。
【００６０】
ユーザが選択を促す画面を認識し、入力装置１８において対話式モードでのインストール処理を選択した場合、入力受付部１６は対話式モードでのインストール処理の選択を受け付け、プリンタドライバインストール部１５に対して対話式モードでのインストール処理が選択された旨を通知し、インストールイメージ作成部１５は対話式モードでのインストール処理が選択された通知を受け付けると、インストールモード指定手段１９により対話式モードに指定するとともに、表示制御部１７に対してインストール用設定情報の設定を促す画面の表示を指示し、表示制御部１７はインストール用設定情報の設定を促す画面の表示の指示を受け付けると、インストール用設定情報の設定を促す画面を表示装置２１に表示する。
【００６１】
ユーザがインストール用設定情報の設定を促す画面を認識し、入力装置１８においてインストール用設定情報を設定すると、入力受付部１４はインストール用設定情報を受け付け、受け付けたインストール用設定情報をプリンタドライバインストール部１５に渡す。
【００６２】
そして、全てのインストール用設定情報の設定が終了すると、プリンタドライバインストール部１５は設定されたインストール用設定情報の内容を表示制御部１７に渡し、表示制御部１７はインストール用設定情報の内容を受け取ると、受け取ったインストール用設定情報の内容の確認画面を表示装置２１に表示する。
【００６３】
そして、入力装置１８においてユーザがインストール処理の開始の指示を入力すると、入力受付部１４はインストール処理の開始の指示を受け付け、プリンタドライバインストール部１５に対してインストール処理の開始が指示された旨を通知し、プリンタドライバインストール部１５はインストール処理の開始が指示された通知を受け付けると、ＨＤ８からプリンタドライバのファイル１２を読み出し、読み出したプリンタドライバのファイル１２、およびユーザにより入力されたインストール用設定情報に基づいてＯＳにプリンタドライバをインストールするとともに、インストール処理の進歩状況を表示制御部１７に渡し、表示制御部１７はプリンタドライバインストール部１５から受け取ったインストール処理の進歩状況を示す画面を表示装置２１に表示する。
【００６４】
次に、非対話式モードでインストールの処理を行う際にインストールプログラム１３が行う機能的な処理について図３を参照して説明する。
【００６５】
ＰＣ２上でインストールプログラム１３が起動されると、インストールプログラム１３の表示制御部１７は実行する処理の選択を促す画面を表示装置２１に表示する。
【００６６】
ユーザが選択を促す画面を認識し、入力装置１８において非対話式モードでのインストール処理を選択した場合、入力受付部１４は非対話式モードでのインストール処理の選択を受け付け、プリンタドライバインストール部１５に対して非対話式モードでのインストール処理が選択された旨を通知し、プリンタドライバインストール部１５は非対話式モードでのインストール処理が選択された通知を受け付けると、インストールモード指定手段１９により非対話式モードに指定する。
【００６７】
そして、入力装置１８においてユーザがインストール処理の開始の指示を入力すると、入力受付部１４はインストール処理の開始の指示を受け付け、プリンタドライバインストール部１５に対してインストール処理の開始が指示された旨を通知し、プリンタドライバインストール部１５はインストール処理の開始が指示された通知を受け付けると、ＨＤ８からプリンタドライバのファイル１２および予め設定されたインストール用設定情報２２を読み出し、読み出したプリンタドライバのファイル１２および予め設定されたインストール用設定情報２２を用いてＯＳにプリンタドライバをインストールし、インストールが終了すると、インストールの実行結果記録２３をＨＤ８に格納する。なお、インストール終了後の実行結果記録２３の格納を行わない構成でも良い。
【００６８】
次に、インストールプログラム１３により行われる処理手順について図４に示すフローチャートを参照して説明する。
【００６９】
インストールプログラムが起動され（ステップＳ４０１）、対話式モードでのインストールの実行を指示されたか、非対話式モードでのインストールの実行を指示されたかを認識する（ステップＳ４０２）。ここで、対話式モードでのインストールの実行を指示されたことを認識した場合（ステップＳ４０２でＹＥＳ）、ステップＳ４０３に進み、非対話式モードでのインストールの実行を指示されたことを認識した場合（ステップＳ４０２でＮＯ）、ステップＳ４１０に進む。
【００７０】
対話式モードでのインストールの実行を指示されたことを認識した場合（ステップＳ４０２でＹＥＳ）、インストールの実行を指示されたか、インストールイメージの作成の実行を指示されたかを認識する（ステップＳ４０３）。ここで、インストールの実行を指示されたことを認識した場合（ステップＳ４０３でＹＥＳ）、ステップＳ４０５に進み、インストールイメージの作成の実行を指示されたことを認識した場合（ステップＳ４０３でＮＯ）、ステップＳ４０４に進む。
【００７１】
インストールイメージの作成の実行を指示されたことを認識した場合（ステップＳ４０３でＮＯ）、インストールイメージの作成場所を設定し（ステップＳ４０４）、ステップＳ４０５に進む。
【００７２】
続いて、インストール用設定情報の内容を設定し（ステップＳ４０５）、設定したインストール用設定情報の内容を表示し（ステップＳ４０６）、インストールの実行を指示されたか、インストールイメージの作成の実行を指示されたかを確認する（ステップＳ４０７）。ここで、インストールの実行を指示されている場合（ステップＳ４０７でＹＥＳ）、ステップＳ４０８に進み、インストールイメージの作成の実行を指示されている場合（ステップＳ４０７でＮＯ）、ステップＳ４０９に進む。
【００７３】
インストールの実行を指示されている場合（ステップＳ４０７でＹＥＳ）、設定したインストール用設定情報を用いてインストールを実行し（ステップＳ４０８）、処理手順を終了する。
【００７４】
インストールイメージの作成の実行を指示されている場合（ステップＳ４０７でＮＯ）、設定したインストール用設定情報を用いてインストールイメージの作成を実行し（ステップＳ４０９）、作成したインストールイメージを設定した作成場所に格納し（ステップＳ４１０）、処理手順を終了する。
【００７５】
非対話式モードでのインストールの実行を指示されたことを認識した場合（ステップＳ４０２でＮＯ）、予め設定したインストール用設定情報を用いてインストールを実行し（ステップＳ４１１）、処理手順を終了する。
【００７６】
次に、インストールプログラムでインストールイメージを作成する際の表示装置の画面遷移について説明する。
【００７７】
図５は、表示装置に表示された第１の実行内容選択画面２４の一例を示す図である。
【００７８】
ＰＣ２上でインストールプログラムを起動すると、表示装置に第１の実行内容選択画面２４が表示される。
【００７９】
ここで、第１の実行内容選択画面２４上の予め設定されたインストール用設定情報を用いたインストール（つまり、非対話式モードでのインストール）の実行を指示するチェックボックスにチェックを入力してから「次へ」ボタンを押下等すると、予め設定されたインストール用設定情報を用いたプリンタドライバのインストールが実行される。その際には、インストール終了までインストールの進歩状況を示す画面は表示装置に表示されない。
【００８０】
また、第１の実行内容選択画面２４上の予め設定された設定情報を用いたインストールの実行を指示するチェックボックスにチェックを入力せずに「次へ」ボタンを押下等すると、表示装置に第２の実行内容選択画面が表示される。
【００８１】
図６は、表示装置に表示された第２の実行内容選択画面２５の一例を示す図である。
【００８２】
また、第２の実行内容選択画面２５上のインストールイメージの作成を指示するチェックボックスにチェックを入力してから「次へ」ボタンを押下等すると、表示装置にインストールイメージ作成場所設定画面が表示される。
【００８３】
図７は、表示装置に表示されたインストールイメージ作成場所設定画面２６の一例を示す図である。
【００８４】
ここで、インストールイメージ作成場所設定画面２６上の作成場所設定欄にインストールイメージの作成場所を設定してから「次へ」ボタンを押下等すると、表示装置にインストール用設定情報設定画面が表示される。
【００８５】
図８は、表示装置に表示されたインストール用設定情報設定画面２７の一例を示す図である。
【００８６】
ここで、インストール用設定情報設定画面２７上でインストール用設定情報を設定（例えば、図８では、プリンタ名の設定、通常使うプリンタにするか否かの設定、ローカルプリンタ若しくはネットワークプリンタかの設定等）してから「次へ」ボタンを押下等すると、表示装置にインストール用設定情報確認画面が表示される。
【００８７】
図９は、表示装置に表示されたインストール用設定情報確認画面２８の一例を示す図である。
【００８８】
図９に示すように、インストール用設定情報確認画面２８には、設定されたインストール用設定情報の内容（例えば、図９では、機種名、インストールイメージ作成場所、プリンタ名、プリンタ接続先、プリンタ共有名、通常使うプリンタであるか否かの設定等）が表示される。
【００８９】
ここで、インストール用設定情報確認画面２８上の「次へ」ボタンを押下等すると、インストールイメージの作成が実行される。
【００９０】
なお、図６に示す第２の実行内容選択画面２５上のインストールイメージの作成を指示するチェックボックスにチェックを入力せずに「次へ」ボタンを押下等すると、対話式モードでのインストールが開始され、図８に示すインストール用設定情報設定画面２７と同様の画面が表示され、その画面によりインストール用設定情報を設定すると、図９に示すインストール用設定情報確認画面２８と同様の画面が表示され、その画面には設定されたインストール用設定情報の内容が表示され、その画面上の「次へ」ボタンを押下等すると、設定されたインストール用設定情報を用いたプリンタドライバのインストールが実行される。その際には、インストール終了までインストールの進歩状況を示す画面が表示装置に表示される。
【００９１】
従って、作成したインストールイメージをＣＤ−Ｒ等の記憶媒体にコピーし、他のＰＣにこの記憶媒体をセットしてインストールイメージをＰＣ２に組み込むだけで、他のＰＣにユーザが所望するインストール用設定情報でプリンタドライバをインストールすることができる。更に、インストールイメージをＰＣ２に組み込む際に、インストールの進歩状況を示す画面を表示装置に表示させないことで、ユーザがインストール作業に関与する必要がなくなる。
【００９２】
なお、本発明に係るインストールプログラムで設定したインストール用設定情報は、インストールプログラムを使用せずに変更することもできる。
【００９３】
また、本発明に係るインストールプログラムでインストールおよびインストールイメージの作成が可能なソフトウェアは、プリンタドライバのみではなく、その他ユーティリティ等のソフトウェアも含まれる。
【００９４】
また、本発明は、上述した実施の形態のように、ＰＣにインストールプログラムをインストールする構成に限定せず、ＰＣが上述したインストールプログラムと同様な機能を有するインストール装置を内蔵若しくは接続する構成でも適用可能である。
【図面の簡単な説明】
【００９５】
【図１】本発明の実施の形態におけるプリントシステム１の全体構成の一例を示す図である。
【図２】プリンタドライバインストールツール１０の構成の一例を示す図である。
【図３】ＰＣ２上で起動しているインストールプログラム１３の機能的な構成を示すブロック図である。
【図４】インストールプログラム１３により行われる処理手順を示すフローチャートである。
【図５】表示装置に表示された第１の実行内容選択画面２４の一例を示す図である。
【図６】表示装置に表示された第２の実行内容選択画面２５の一例を示す図である。
【図７】表示装置に表示されたインストールイメージ作成場所設定画面２６の一例を示す図である。
【図８】表示装置に表示されたインストール用設定情報設定画面２７の一例を示す図である。
【図９】表示装置に表示されたインストール用設定情報確認画面２８の一例を示す図である。
【符号の説明】
【００９６】
１    プリントシステム
２    ＰＣ
３    プリンタ
４    ネットワーク
５    ＣＰＵ
６    ＲＯＭ
７    ＲＡＭ
８    ＨＤ
９    Ｉ／Ｆ
１０    プリンタドライバインストールツール
１１    インストールプログラム
１２    プリンタドライバ
１３    インストールプログラム
１４    入力受付部
１５    プリンタドライバインストール部
１６    インストールイメージ作成部
１７    表示制御部
１８    入力装置
１９    インストールモード指定手段
２０    インストールイメージ
２１    表示装置
２２    インストール用設定情報
２３    実行結果記録
２４    第１の実行内容選択画面
２５    第２の実行内容選択画面
２６    インストールイメージ作成場所設定画面
２７    インストール用設定情報設定画面
２８    インストール用設定情報確認画面
【図１】
2006085610.tif 000003
【図２】
2006085610.tif 000004
【図３】
2006085610.tif 000005
【図４】
2006085610.tif 000006
【図５】
2006085610.tif 000007
【図６】
2006085610.tif 000008
【図７】
2006085610.tif 000009
【図８】
2006085610.tif 000010
【図９】
2006085610.tif 000011